(57)【要約】      （修正有）【課題】コンパクトな構成で且つ塵埃や有害ガスの吸着効率を大きく高め、浄化性能や使用性の向上を図った湿式ガス浄化装置を提供する。【解決手段】流体を取入れて円形流路に沿って流すヘッド部と、ヘッド部の下側に設けられ円形流路に連通する渦巻筒部とからなるサイクロン発生器を複数個並列に連結し、被処理ガスと浄化液を流して被処理ガスを浄化液に溶かし、浄化液をその下方の浄化液槽２３に溜めるとともに被処理ガスを外部に放出する湿式ガス浄化装置１３において、浄化液槽を構成する仕切り壁２２の外側にミスト捕集室４４を形成し、浄化液槽の浄化液２４の上面に浮遊するミスト３１が仕切り壁方向に向うように被処理ガスを浄化液槽上面に流し、仕切り壁を乗越えてミスト捕集室に入ったミストを捕集して処分可能とし、このミスト捕集室内にミストとともに流入してミスト捕集室内に溜まった浄化液を浄化液槽に戻すポンプ４５を備えた。【選択図】図１０
2006175336.tif 000002
【特許請求の範囲】
【請求項１】
流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、
前記サイクロン発生器通過後の浄化液及び被処理ガスの混合流体の流路に混合促進用の充填材を設けたことを特徴とする湿式ガス浄化装置。
【請求項２】
流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置であって、前記浄化液槽と前記サイクロン発生器上方の散布器とをつなぐ浄化液配管を有し、該浄化液配管の途中に浄化液供給ポンプを備えた湿式ガス浄化装置において、
前記浄化液配管の途中に切換え弁を介して洗浄水配管を接続し、前記浄化液槽の上面に開閉可能な又は着脱可能なカバーパネルを設け、該浄化装置の不使用時に、該カバーパネルで浄化液槽の上面を覆うとともに、前記切換え弁を切換えて前記洗浄水配管を通して洗浄水を前記サイクロン発生器に散布可能としたことを特徴とする湿式ガス浄化装置。
【請求項３】
前記サイクロン発生器の上方側に乾燥ファンを設け、前記洗浄水散布後に、前記乾燥ファンにより浄化装置内の空気をサイクロン発生器の下側から吸引してサイクロン発生器を通し上側から浄化装置外部に放出して浄化装置内部を乾燥させることを特徴とする請求項２に記載の湿式ガス浄化装置。
【請求項４】
流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、
前記浄化液槽を構成する仕切り壁の外側にミスト捕集室を形成し、浄化液槽の浄化液の上面に浮遊するミストが前記仕切り壁方向に向うように前記サイクロン発生器通過後の被処理ガスを浄化液槽上面に流し、前記仕切り壁を越えて前記ミスト捕集室に入ったミストを捕集して処分可能とし、このミスト捕集室内にミストとともに流入してミスト捕集室内に溜まった浄化液を浄化液槽に戻すポンプを備えたことを特徴とする湿式ガス浄化装置。
【請求項５】
流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、
前記サイクロン発生器通過後の被処理ガスを吸湿材層及びこれに続く活性炭層を通過させた後に外部に放出することを特徴とする湿式ガス浄化装置。
【請求項６】
流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、
前記浄化液槽の浄化液を、微生物を捕集する生物濾材層及び有害物質を吸着する活性炭層からなるフィルタを通して循環させる浄化液清浄化手段を一体的に具備したことを特徴とする湿式ガス浄化装置。
【発明の詳細な説明】
【技術分野】
【０００１】
本発明は、塗装作業等を行う室内空間の塗料ミストその他の有害物質を除去するための湿式ガス浄化装置に関する。
【背景技術】
【０００２】
サイクロン集塵方式に水を付加して集塵効率の向上を図ったサイクロン式湿式掃除機が特許文献１に記載されている。この特許文献１の湿式掃除機は、掃除機本体内のサイクロン集塵室に塵埃を含む空気とともに霧化された水を螺旋状に供給して塵埃を水に吸着させるものである。
【０００３】
しかしながら、特許文献１の湿式掃除機では、掃除機本体のほぼ全体を１つの集塵室として構成し、その集塵室でサイクロンを発生させて塵埃を含む空気と水とを混合させるため、サイクロンを発生させる集塵室が大きくなって掃除機全体が大型化するとともに、十分大きな集塵効率の向上が図れない。
【０００４】
そこで本発明者は、複数の小型サイクロン発生器を並列に連結することにより、コンパクトな構成で且つ塵埃や有害ガスの吸着効率を大きく高めたガス浄化装置を提案した（特許文献２参照）。この特許文献２は、本出願の先願であり、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の塵埃や塗料ミスト及び有害ガス等を浄化液に吸着させ、サイクロン発生器通過後の浄化液をその下方の浄化液槽に溜めるとともに被処理ガスを外部に放出する湿式ガス浄化装置を記載する。
【０００５】
この特許文献２によれば、コンパクトな構成で且つ塵埃や有害ガスの吸着効率を大きく高めるという課題が解決される。
【０００６】
【特許文献１】特開平９−２５３０１１号公報
【特許文献２】特願２００３−１５７４２８
【発明の開示】
【発明が解決しようとする課題】
【０００７】
本発明は、上記本発明者の提案による特許文献２と同様に、コンパクトな構成で且つ塵埃や有害ガスの吸着効率を大きく高めるという共通の課題を解決するとともに、上記特許文献２で提案されたガス浄化装置の構成を共通の主要部としてこれにさらに改良を加えて浄化性能や使用性の向上を図った湿式ガス浄化装置の提供を目的とする。
【課題を解決するための手段】
【０００８】
請求項１の発明は、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、前記サイクロン発生器通過後の浄化液及び被処理ガスの混合流体の流路に混合促進用の充填材を設けたことを特徴とする湿式ガス浄化装置を提供する。
【０００９】
請求項２の発明は、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置であって、前記浄化液槽と前記サイクロン発生器上方の散布器とをつなぐ浄化液配管を有し、該浄化液配管の途中に浄化液供給ポンプを備えた湿式ガス浄化装置において、前記浄化液配管の途中に切換え弁を介して洗浄水配管を接続し、前記浄化液槽の上面に開閉可能な又は着脱可能なカバーパネルを設け、該浄化装置の不使用時に、該カバーパネルで浄化液槽の上面を覆うとともに、前記切換え弁を切換えて前記洗浄水配管を通して洗浄水を前記サイクロン発生器に散布可能としたことを特徴とする湿式ガス浄化装置を提供する。
【００１０】
請求項３の発明は、請求項２の発明において、前記サイクロン発生器の上方側に乾燥ファンを設け、前記洗浄水散布後に、前記乾燥ファンにより浄化装置内の空気をサイクロン発生器の下側から吸引してサイクロン発生器を通し上側から浄化装置外部に放出して浄化装置内部を乾燥させることを特徴とする。
【００１１】
請求項４の発明は、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、前記浄化液槽を構成する仕切り壁の外側にミスト捕集室を形成し、浄化液槽の浄化液の上面に浮遊するミストが前記仕切り壁方向に向うように前記サイクロン発生器通過後の被処理ガスを浄化液槽上面に流し、前記仕切り壁を越えて前記ミスト捕集室に入ったミストを捕集して処分可能とし、このミスト捕集室内にミストとともに流入してミスト捕集室内に溜まった浄化液を浄化液槽に戻すポンプを備えたことを特徴とする湿式ガス浄化装置を提供する。
【００１２】
請求項５の発明は、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、前記サイクロン発生器通過後の被処理ガスを吸湿材層及びこれに続く活性炭層を通過させた後に外部に放出することを特徴とする湿式ガス浄化装置を提供する。
【００１３】
請求項６の発明は、流体を取入れて円形流路に沿って流すヘッド部と、該ヘッド部の下側に設けられ前記円形流路に連通する渦巻筒部とからなるサイクロン発生器を複数個並列に連結し、各サイクロン発生器を通して被処理ガスと浄化液を流して被処理ガス中の異物や有害物質等を浄化液に吸着させ、サイクロン発生器通過後の浄化液をその下方の浄化液槽に溜めるとともに被処理ガスを外部に放出する湿式ガス浄化装置において、前記浄化液槽の浄化液を、微生物を捕集する生物濾材層及び有害物質を吸着する活性炭層からなるフィルタを通して循環させる浄化液清浄化手段を一体的に具備したことを特徴とする湿式ガス浄化装置を提供する。
【発明の効果】
【００１４】
請求項１の発明によれば、複数のサイクロン発生器を用いることにより、個々のサイクロン発生器の渦巻流の径を小さくして遠心力を大きくし、被処理ガス中の異物や有害物質等、すなわち塵埃やミスト及び有害ガス、特に細かいミストや有害ガスの吸着性を高めることができる。また、例えば各サイクロン発生器の流体取入れ口を上向きにしたり、ヘッド部を段重ね状態にして連結することにより、小型でコンパクトな構成が得られる。さらに、サイクロン発生器から落下する浄化液が複数のサイクロン発生器に分散されるため、浄化液槽の浄化液面に衝突するときの発泡及び水面の乱れや波立ちが少なくなる。この結果、ミストが攪拌されて浄化液中に沈むことなく液面に浮遊するため、浮遊しているミストを容易に分離して除去できる。特にミストを大量に含んだガスを処理する場合に、このガス浄化装置を複数段に連続して配置した構成のガス浄化装置において、最初の段階のガス浄化装置におけるミスト捕集効果が高まる。
【００１５】
さらに請求項１の発明によれば、上記複数のサイクロン発生器を用いた効果に加えて、サイクロン発生器の下側（下流側）に気液接触面積を増して混合作用を高めるための充填材を設けているため、サイクロンの作用で吸着しきれなかったミストや有害ガスを充填材を通過させることにより確実に吸着させて被処理ガスを清浄化できる。この場合、充填材はサイクロン発生器の下側に設けられるため、ガスと液体の両方が供給されるので、浄化液を充填材に供給するための専用の循環系システムを設ける必要がない。また、このような充填材をサイクロン発生器の下側に設けることにより、サイクロン発生器から落下する浄化液が、浄化液槽の浄化液面に衝突するときの発泡及び水面の乱れや波立ちが少なくなる。この結果、ミストが攪拌されて浄化液中に沈むことなく液面に浮遊するため、浮遊しているミストを容易に分離して除去できる。
【００１６】
請求項２の発明によれば、前記請求項１と同様に、複数のサイクロン発生器を用いたことによる効果が得られるとともに、これに加えて、ガス浄化装置の不使用時に切換え弁を切換えて例えば水道水をサイクロン発生器に散布することにより、容易にサイクロン発生器やその下方に配設した充填材などを洗浄できる。この場合、浄化液槽をカバーパネルで覆った状態で洗浄水を散布するため、洗浄後の水は浄化液槽内に流入することなく、カバーパネル上を流れてそのまま又は無害化等の処理をした後、外部に排水される。したがって、浄化液槽内の浄化液は次回のガス浄化装置運転時にそのまま使用できる。このように、ガス浄化装置の不使用時に浄化装置内部を洗浄することにより、サイクロン発生器や充填材あるいは浄化液供給配管内に残留する浄化液に微生物が発生することを防止し、悪臭の発生を防止できる。
【００１７】
請求項３の発明によれば、上記請求項２の効果が得られるとともに、これに加えて、洗浄水により装置内部を洗浄した後、乾燥ファンにより装置内部の空気を吸引して外部に放出し、内部を速やかに乾燥させることができる。この場合、乾燥ファンによる空気の流れが、サイクロン発生器に対し下側から上側に流れるように、すなわち通常のガス浄化処理時とは逆方向に流れるように、ファンをサイクロン発生器の上側に配置しているため、サイクロン発生器の下流側（通常のガス浄化処理時の下流側）に活性炭などのガス吸着剤が配設してあっても、洗浄時にサイクロン発生器を通過した湿った空気が活性炭を通過することはなく、活性炭への水分付着による吸着能力の低下を防止できる。
【００１８】
請求項４の発明によれば、前記請求項１と同様に、複数のサイクロン発生器を用いたことによる効果が得られるとともに、これに加えて、浄化液に吸着させたミストを容易に分離処理できるという効果が得られる。すなわち、浄化液槽の液面に浮遊するミストを被処理ガスの気流により仕切り壁を乗り越えさせて隣のミスト捕集室に押し流し、このミスト捕集室に入ったミストを例えばフィルタで捕集する。このフィルタを取外してミストを処理することができる。ミストとともにミスト捕集室に流入した浄化液は、ポンプにより浄化液槽に戻される。これにより、浄化液槽の液面位置を一定に保つことができる。
【００１９】
請求項５の発明によれば、前記請求項１と同様に、複数のサイクロン発生器を用いたことによる効果が得られるとともに、これに加えて、サイクロン発生器を通過後の被処理ガスが活性炭を通過することにより、サイクロン発生器で浄化液に吸着しきれなかったミストや有害ガスを活性炭で吸着でき外部への放出を防止できる。この場合、活性炭層の前段に吸湿材層があるため、活性炭層に流入する被処理ガスから水分を除去することができ、活性炭の吸着能力の低下を抑えることができる。吸湿材は熱処理又は自然乾燥により繰返し使用が可能である。
【００２０】
請求項６の発明によれば、前記請求項１と同様に、複数のサイクロン発生器を用いたことによる効果が得られるとともに、これに加えて、浄化液槽で発生する微生物を除去して悪臭の発生を抑えることができる。この場合、活性炭のみでも微生物を吸着できるが、生物濾材を併用することにより、さらに確実に微生物を吸着して除去できる。このような生物濾材及び活性炭からなるフィルタ及びこのフィルタを通して浄化液槽の浄化液を循環させるポンプは、このガス浄化装置に一体的に備えておくため、浄化液を抜き出して他の場所に運んで微生物除去処理を施すといった面倒な方法をとることなく、ガス浄化装置の使用中にあるいは不使用時に、常にあるいは定期的に浄化液を循環させて容易に微生物を除去し悪臭発生を防止できる。
【発明を実施するための最良の形態】
【００２１】
図１は、本発明で用いるサイクロン発生器単体の斜視図である。
サイクロン発生器１は、流体を取入れるヘッド部２とその下側に結合された渦巻筒部３とにより構成される。ヘッド部２は、その側面（図では手前側）に設けた取入口４と、この取入口４に続く直進流路５と、この直進流路５に続く円形流路６とにより構成される。直進流路５及び円形流路６の上面はカバープレート（不図示）で覆われる。渦巻筒部３はヘッド部２の円形流路６に連通してその下側に形成される。
【００２２】
流体は矢印Ａのように、ヘッド部２の側面の取入口４から流入し、矢印Ｂのように渦巻筒部３の下端の出口７から流出する。この場合、ヘッド部２の上面全体がカバープレートで覆われ、側面の取入口４が開口する。側面の取入口４に代えて上面から流体を直進流路５の端部に取入れてもよい。この場合には、側面の取入口４を塞ぐとともに、直進流路５の入口部上面のカバープレートを切欠いて取入口９（図２）を開口させる。
【００２３】
図２は、サイクロン発生器の作用説明図である。
ヘッド部２の側面の流体の取入口４から矢印Ａのように（又は上面の取入口９から矢印Ａ’のように）流入した流体は、直進流路５上を流れ、円形流路６で旋回流となり、これに続いて渦巻筒部３で下方に向けて渦巻き状のサイクロン流となって下端の出口７から矢印Ｂのように流出する。８は、直進流路５及び円形流路６の上面を覆うカバープレートである。
【００２４】
図３は、複数のサイクロン発生器を並列に連結した浄化ユニットの構成図である。
複数（この例では５個）のサイクロン発生器１を並列に連結して浄化ユニット１０を構成する。各サイクロン発生器１のヘッド部２を連結し、ヘッド部上面に開口する取入口９から流体を矢印Ａ’のように取入れ、渦巻筒部３でサイクロンを発生させて矢印Ｂのように下方に流出させる。この浄化ユニット１０の上方に、浄化液散布器１１が備わり、浄化液（水あるいはガス吸収液）を散布する。散布された浄化液は、ミスト及び悪臭や有害ガスを含む被処理ガスとともに各サイクロン発生器１の流体取入口９から各サイクロン発生器内に流入し、渦巻筒部３内でサイクロンとなって流れる間にミストや有害ガス等が浄化液に吸着される。
【００２５】
図４は、浄化ユニットの上面図である。
各サイクロン発生器１のヘッド部２を連結して浄化ユニット１０を形成する。ヘッド部２の直線流路５の端部に流体の取入口９が開口する。ヘッド部２の取入口９と反対側の対応する位置に切欠き溝１２が形成される。ヘッド部２を連結することにより、一方のヘッド部の取入口９とこれと連結されるヘッド部の切欠き溝１２が連続して実質上取入口９が大きくなるとともに直線流路５が長くなる。これにより、個々のサイクロン発生器１の形状をコンパクトにしたまま、直線流路５を長くして十分な流速を得て強い渦流を発生させサイクロン効果を高めることができる。言い換えれば、十分な直線流路の長さを確保した上で、各サイクロン発生器同士を極力近づけて連結方向の長さを短縮し、コンパクトな浄化ユニットを形成できる。
【００２６】
なお、プレート８により円形流路６及びこれに連通する渦巻筒部３の上面を覆い、直線流路５の上面は円形流路６の一部を含み全体を開口させてもよい。
【００２７】
図５は、浄化ユニットを多段に組合せた多段浄化ユニットの斜視図である。
この例は、前述の図４の浄化ユニット１０を４個用いたものである。浄化ユニット１０のヘッド部２を段重ねして２段の浄化ユニットを形成し、２つの２段の浄化ユニット同士を対向させて中央が高い山形となるように結合する。このようにヘッド部２を段重ねした多段浄化ユニットを用いることにより、個々の浄化ユニット１０においてその長手方向（図のＸ方向）についてコンパクトな構成が得られるとともに、これと直角な方向（図のＹ方向）についても渦巻筒部３同士を極力近づけてコンパクトな形状を得ることができる。
【００２８】
図６は、本発明に係る湿式ガス浄化装置の基本構成図である。
湿式ガス浄化装置１３は、筐体を形成する装置本体１４を有し、その内部が上部仕切り壁１５によりサイクロン室１６と排気室１７に分割される。サイクロン室１６には、端部に吸引口１８を備えた吸引ダクト１９が接続される。サイクロン室１６内に、前述の図４の浄化ユニット１０を４段に重ねた多段浄化ユニット２０が設けられる。この複数（この例では２０個）のサイクロン発生器からなる多段浄化ユニット２０の上側にシャワーノズル等からなる散布器２１が備わる。
【００２９】
サイクロン室１６の多段浄化ユニット２０の下側には、下部仕切り壁２２で仕切られた浄化液槽２３が形成される。浄化液槽２３内に浄化液２４が溜められる。浄化液２４は、水あるいは吸収液である。吸収液は塗装ミストや臭気あるいは有害ガスをよく吸着する薬液である。浄化液槽２３内の浄化液２４は、浄化液を循環させて供給する浄化液供給ポンプ２６により吸引され、浄化液配管２５を介して散布器２１から多段浄化ユニット２０に散布される。
【００３０】
排気室１７の上部に、例えば防爆型の排気モータ２７が備わる。排気モータ２７に、端部に排出口２８を備えた排気ダクト２９が接続される。排気室１７の中間部にほぼ水平な偏向プレート３０が備わる。この偏向プレート３０は、下部仕切り壁２２の上方に配置され、浄化液槽２３の液面上の風向が下部仕切り壁２２に向うように気流をガイドする。これにより、浄化液２４の液面上に浮遊するミスト３１が浄化液槽２３を構成する下部仕切り壁２２に向かって流される。
偏向プレート３０の上方に、気流の偏向方向を逆向きにする邪魔板５５が設けられる。偏向プレート３０及び邪魔板５５に気流が当たることにより、気流に含まれる水分が付着して除去される。
【００３１】
上記構成の湿式ガス浄化装置１３を用いた場合のガス浄化作用は以下の通りである。
排気モータ２７を駆動することにより、塗装作業等を行っている室内から室内空気が矢印Ｐのように吸引され、ガス浄化装置１３内に矢印Ｑのように取入れられる。この矢印Ｐ，Ｑで示される室内空気が請求項でいう被処理ガスであり、塵埃や塗料ミスト及び臭気や有害ガス等の異物や有害物質等を含んでいる。被処理ガスは、散布器１１から散布される浄化液とともに混合流体となって多段浄化ユニット２０の各サイクロン発生器に流入する。サイクロン発生器内でのサイクロン流の作用で被処理ガス中のミストや有害ガス等が浄化液に吸着され下方の浄化液槽２３内に滴下する。ミストや有害ガスが吸着除去された被処理ガスは、矢印Ｒのように排気室１７内を流れ、排気ダクト２９及び排出口２８を通して矢印Ｓのように外部に排出される。浄化液槽２３の液面に浮遊するミスト３１は、矢印Ｒの気流により押し流されて下部仕切り壁２２に当たり集積される。集積されたミスト３１は、この状態で掬い出して除去してもよいし、あるいは後述のように、風力で下部仕切り壁２２を乗越えさせてから隣のスペースで捕集して処理してもよい。
【００３２】
図７は、本発明の実施形態の全体構成図である。
この例は、多段浄化ユニット２０の下方に充填材ホルダ３２を設け、その内部に充填材３３を詰めたものである。充填材は、例えばプラスチックの成型体からなり、詰めたときに、過度な圧力損失を生じないように十分に空気を流通させるとともに、気液接触面積を大きくし、且つ接触時間を長くして気液混合作用を高め気体が十分に液体に吸着されるような形状の部材である。充填材３３は、多孔板あるいは網目材等からなる支持板５４上に収容される。多段浄化ユニット２０を通過した被処理ガス及び浄化液は、充填材３３及び支持板５４を通過してその下方の浄化液槽２３内に滴下する。多段浄化ユニット２０のサイクロン発生器の下側にこのような充填材３３を設けることにより、サイクロンの作用で吸着しきれなかったミストや有害ガスを充填材３３を通過させて確実に浄化液に吸着させ被処理ガスを清浄化できる。この場合、充填材３３はサイクロン発生器の下側に設けられるため、ガスと液体の両方が供給されるので、浄化液２４を充填材３３に供給するための専用の循環系システムを設ける必要がない。また、このような充填材３３をサイクロン発生器の下側に設けることにより、サイクロン発生器から落下する浄化液が、浄化液槽２３の浄化液面に衝突するときの発泡及び水面の乱れや波立ちが少なくなる。この結果、ミスト３１が攪拌されて浄化液中に沈むことなく液面に浮遊するため、浮遊しているミストを容易に分離して除去できる。
その他の構成及び作用効果は、前記図６の例と同様である。
【００３３】
図８は、本発明の別の実施形態の全体構成図である。
浄化液配管２５に三方切換え弁３４が設けられ、水道配管３５が接続される。浄化液槽２３の上面にスライド式で着脱可能なカバープレート３８が備わる。カバープレート３８には、その上面に溜まった水を排出する排水管３９が備わる。サイクロン室１６の多段浄化ユニット２０の上方の装置本体１４に乾燥ファン３６が設けられる。乾燥ファン３６は、ガス浄化処理中は常時シャッター３７で覆われ、装置本体１４内が密閉される。排気室１７に、活性炭層４０及びその下段の除湿材層４１からなるガス吸着フィルタ４２が備わる。吸湿材層４１は、例えばシリカゲル、ガラス繊維、小石、セラミックあるいはその他の多孔質部材である。
【００３４】
上記構成において、通常のガス浄化処理時には、カバープレート３８を外し、三方切換え弁３４を浄化液槽側に切換えて、散布器１１と浄化液槽２３とを接続する。この状態で、前述の図６で説明した通り、浄化液を散布器１１から散布しながら被処理ガスをサイクロン室１６内に矢印Ｑのように導入し、排気室１７を通して矢印Ｒのように排出する。この場合、排気室１７にガス吸着フィルタ４０が備わるため、サイクロン発生器からなる各ガス浄化装置１０を通過後の被処理ガスが活性炭層４０を通過することにより、サイクロン発生器で浄化液に吸着しきれなかったミストや有害ガスを活性炭層４０で吸着でき外部への放出を防止できる。この場合、活性炭層４０の前段に吸湿材層４１があるため、活性炭層４０に流入する被処理ガスから水分を除去することができ、活性炭の吸着能力の低下を抑えることができる。吸湿材は熱処理又は自然乾燥により繰返し使用が可能である。
【００３５】
上記図８の構成において、ガス浄化処理の停止中に装置本体内部を洗浄することができる。洗浄処理を行う場合、排気モータ２７を停止して浄化液槽２３の上面をカバープレート３８で覆う。三方切換え弁３４を水道配管３５側に切換えて散布器１１を水道配管３５に接続する。この状態で、三方切換え弁３４を介して矢印Ｗのように浄化液配管２５内に水道水を導入し、散布器１１からサイクロン室１６内に散布する。これにより、散布器１１及びこれに接続する浄化液配管２５内部とともに多段浄化ユニット２０の各サイクロン発生器の内部が洗浄される。洗浄後の水道水はカバープレート３８上に滴下し配水管３９を通して外部に排出される。
【００３６】
なお、三方切換え弁に水道配管を接続する代わりに、予め洗浄用の水を溜めたタンク等に接続してもよい。また、水に代えて洗浄液を用いてもよい。水道配管以外に接続する場合、循環ポンプ２６の吸込み側の浄化液配管２５に洗浄水配管を接続して洗浄水を循環ポンプ２６で散布器１１に送ることができる。
【００３７】
図９は、図８の浄化装置で洗浄処理を行った後の乾燥処理の説明図である。
前述のように、水道水などでサイクロン室を洗浄した後、室内に残った水分を速やかに除去するために乾燥処理が行われる。このとき循環ポンプ２６及び排気モータ２７は停止している。また、吸引ダクト１９は閉塞され、吸引ダクト１９側から装置本体１４内への空気の流入はない。一方、排気ダクト２９は開放状態であり、この排気ダクト２９及び停止中の排気モータ２７を通して外部から空気が装置本体１４内に流入可能である。
【００３８】
この状態で、シャッター３７を開いて乾燥ファン３６を駆動する。これにより、排気室１７に矢印Ｖ１のように外気が導入され、フィルタ４２を通して矢印Ｖ２のようにサイクロン室１６に流入する。ここで多段浄化ユニット２０の各サイクロン発生器を通過して水分を吸収し、矢印Ｖ３のように乾燥ファン３６に吸引され、外部に放出される（矢印Ｖ４）。このとき、乾燥用の気流は、通常のガス浄化時とは逆に排気室１７からサイクロン室１６に流れるため、サイクロン発生器を通って湿った空気が排気室１７内の活性炭層４０を通ることはない。したがって、活性炭に水分が付着して吸着能力が低下することはない。
【００３９】
図１０（Ａ）は、本発明の別の実施形態の全体構成図である。
この例では、浄化液槽２３を構成する下部仕切り壁２２の外側に隣接してミスト捕集室４４を形成している。ミスト捕集室４４の上部にミスト捕集用のフィルタ４３が設けられる。偏向プレート３０の作用により、上部仕切り壁１５の下側を流れる気流Ｒ１は、浄化液２４の上面に浮遊するミスト３１を下部仕切り壁２２に向けて押し流す方向に流れる。押し流されたミスト３１は、矢印Ｇのように下部仕切り壁２２を乗越えて隣のミスト捕集室４４に入り、フィルタ４３上に捕集される。フィルタ４３上に溜まったミスト３１は、フィルタ４３を取外して廃棄処分される。
【００４０】
ミスト３１とともにミスト捕集室４４内に流入した浄化液は、矢印Ｆのようにフィルタ４３を通して下方に落下する。ミスト捕集室４４の下部に溜まった浄化液は、戻り配管４６を通して戻しポンプ４５により、矢印Ｅのように、浄化液槽２３に戻される。これにより、浄化液槽２３の液面レベルが一定に保たれる。この場合、ミスト捕集室４４内に液面センサ５３を設け、液面が所定レベルまで上昇したらポンプ４５を駆動して浄化液を浄化液槽２３に戻してもよい。捕集室４４の液面レベルが所定レベルまで下がったらポンプ４５を停止する。あるいは、浄化液槽２３に液面レベル計を設け、浄化液槽の液面が所定値以下に低下したら自動的にポンプ４５を運転するようにしてもよい。
図１０（Ｂ）は、（Ａ）の変形例を示す。（Ｂ）の例は、ミスト捕集室４４のフィルタ４３を省いたものである。（Ａ）と同様に、浄化液槽２３のミスト３１が下部仕切り壁２２を矢印Ｇのように乗越えて浄化液とともにミスト捕集室４４に流入する。流入したミストはミスト捕集室４４内の浄化液面上に浮遊する。時間経過とともに浄化液槽２３の液面は低下し、ミスト捕集室４４の液面は上昇する。浄化液槽２３の液面が低下すると、ミスト３１が仕切り壁２２を乗越えられなくなり、ミストが捕集室４４に流入しなくなる。そこで、浄化液槽２３の液面レベルがあるレベルまで低下し、これに対応して捕集室４４の液面レベルが所定のレベルまで上昇したら、ポンプ４５を駆動して捕集室４４の浄化液を浄化液槽２３に戻す。この場合、ミスト捕集室４４の液面レベルを液面センサ５３で検出し、所定の上限位置に達したら、自動的にポンプ４５を駆動することができる。
ポンプ４５の駆動により浄化液槽２３の液面が上昇し、これに対応してミスト捕集室４４の液面が所定のレベルまで下降したら、ポンプ４５を停止する。この場合、ミスト捕集室４４の液面レベルを液面センサ５３で検出し、所定の下限位置に達したら、自動的にポンプ４５を停止することができる。
このように、ポンプ４５と液面センサ５３を用いて、浄化液槽２３とミスト捕集室４４の液面を一定の範囲内で一方が下がり他方が上がるように交互に上昇下降を繰り返すようなフリップフロップ的動作を自動的に行わせることができる。
ミスト捕集室４４に流入したミストは、ほとんどが液面に浮遊するが、一部は浄化液中に没して底面に沈殿する。このようにミスト捕集室４４の底面に沈殿したミストをポンプ４５が吸込んで浄化液槽２３に戻さないようにするために、ポンプ４５の吸込み側の配管４６の吸込み口（開口端部）とミスト捕集室４４の底面との間の間隔Ｈは、底面に沈殿したミストを吸込まない程度に離しておく。
液面上に浮遊したミストは、適当な用具を用いて手ですくい上げて処分してもよいし、あるいはミスト捕集室４４自体を着脱可能な容器で構成し、ミストが溜まったら取外してミストを処分してもよい。
【００４１】
図１１は、本発明のさらに別の実施形態の全体構成図である。
この例は、浄化液の悪臭の原因となる微生物を除去するものである。浄化液槽２３に浄化液循環配管５０を設ける。この浄化液循環配管５０の途中に、濾過フィルタ４９及び循環ポンプ５１を設ける。濾過フィルタ４９は、生物濾材４８と活性炭４７で構成される。生物濾材４８は、微生物が育ちやすい多孔質な素材であり、例えばガラス繊維、小石、セラミックなどである。このような濾過フィルタ４９を通してポンプ５１を駆動して、矢印Ｋのように浄化液を循環させることにより、浄化液中に発生した微生物が生物濾材４８及び活性炭４９に吸着される。活性炭４９は、微生物とともに有害物質を吸着する。これにより、浄化液中に発生した微生物が有害物質とともに除去され悪臭がなくなる。このような濾過フィルタ４９、浄化液循環配管５０、循環ポンプ５１からなる浄化液清浄化手段５２は、ガス浄化装置１３に対し一体的に備えておく。
【００４２】
なお、このような濾過フィルタ４９を通した浄化液循環による微生物除去処理は、ガス浄化装置稼動中常時行ってもよいし、あるいは定期的に行ってもよい。また、フィルタ４９を通した浄化液は、浄化液槽２３に戻さないで、所定の無害化処理を施して、あるいは廃液規制に適合する範囲内であればそのまま下水等に排出することができる。
【００４３】
以上、図６〜図１１に基づいて、本発明の実施形態の例について説明したが、これらの例はそれぞれ単独で実施してもよいし、あるいは任意の複数の例を組合せて実施することもできる。
【図面の簡単な説明】
【００４４】
【図１】本発明に係るサイクロン発生器単品の斜視図。
【図２】本発明に係るサイクロン発生器の作用説明図。
【図３】本発明に係る複数のサイクロン発生器を用いた湿式ガス浄化装置の要部構成図。
【図４】複数のサイクロン発生器を連結したガス浄化ユニットの上面図。
【図５】図４の浄化ユニットを複数個用いた多段浄化ユニットの斜視図。
【図６】本発明に係る湿式ガス浄化装置の全体構成図。
【図７】本発明の実施形態の全体構成図。
【図８】本発明の別の実施形態の全体構成図。
【図９】図８の実施形態での乾燥処理の説明図。
【図１０】本発明の別の実施形態の構成図。
【図１１】本発明の別の実施形態の全体構成図。
【符号の説明】
【００４５】
１：サイクロン発生器、２：ヘッド部、３：渦巻筒部、４：流体の取入口、５：直進流路、６：円形流路、７：出口、８：カバープレート、９：流体の取入口、１０：浄化ユニット、１１：散布器、１２：切欠き溝、１３：湿式ガス浄化装置、１４：装置本体、１５：上部仕切り壁、１６：サイクロン室、１７：排気室、１８：吸引口、１９：吸引ダクト、２０：多段浄化ユニット、２２：下部仕切り壁、２３：浄化液槽、２４：浄化液、２５：浄化液配管、２６：浄化液供給ポンプ、２７：排気モータ、２８：排出口、２９：排気ダクト、３０：偏向プレート、３１：ミスト、３２：充填材ホルダ、３３：充填材、３４：三方切換え弁、３５：水道配管、３６：乾燥ファン、３７：シャッター、３８：カバープレート、３９：排水管、４０：活性炭層、４１：除湿材層、４２：ガス吸着フィルタ、４３：フィルタ、４４：ミスト捕集室、４５：戻しポンプ、４６：戻り配管、４７：活性炭、４８：生物濾材、４９：濾過フィルタ、５０：浄化液循環配管、５１：ポンプ、５２：浄化液清浄化手段、５３：液面センサ、５４：支持板、５５：邪魔板。
【図１】
2006175336.tif 000003
【図２】
2006175336.tif 000004
【図３】
2006175336.tif 000005
【図４】
2006175336.tif 000006
【図５】
2006175336.tif 000007
【図６】
2006175336.tif 000008
【図７】
2006175336.tif 000009
【図８】
2006175336.tif 000010
【図９】
2006175336.tif 000011
【図１０】
2006175336.tif 000012
【図１１】
2006175336.tif 000013